【手続補正書】
【提出日】平成18年7月14日(2006.7.14)
【手続補正１】
【補正対象書類名】特許請求の範囲
【補正対象項目名】全文
【補正方法】変更
【補正の内容】
【特許請求の範囲】
【請求項１】
画像データを生成する画像データ生成装置であって、
撮影条件を設定する撮影条件設定手段と、
画像データを生成する画像データ生成手段と、
前記設定された撮影条件の少なくとも一部を用いて前記生成された画像データに対して画像処理を施す撮影時画像処理手段と、
前記画像処理が施された画像データと前記撮影条件とを関連付けて記憶する画像データ記憶手段と、
前記画像データ記憶手段から所望の画像データを選択する画像データ選択手段と、
前記選択された画像データに関連付けられた撮影条件を表示する撮影条件表示手段と、
前記表示された撮影条件を変更する撮影条件変更手段と、
前記変更された撮影条件と前記選択された画像データとを関連付けて出力する出力手段とを備える画像データ生成装置。
【請求項２】
請求項１に記載の画像データ生成装置はさらに、
前記出力手段により関連付けて出力された、前記変更された撮影条件と前記選択された画像データとを記憶媒体に格納する格納手段を備える画像データ生成装置。
【請求項３】
請求項１または請求項２のいずれかに記載の画像データ生成装置において、
前記撮影条件は、撮影場面である画像データ生成装置。
【請求項４】
画像データを生成する画像データ生成装置であって、
撮影条件を設定する撮影条件設定手段と、
画像データを生成する画像データ生成手段と、
前記撮影条件に応じた画像処理時における前記画像データの処理条件を指定する画像処理制御情報と、前記画像データと、を関連付けて格納する画像データ記憶手段と、
前記画像データ記憶手段から所望の画像データを選択する画像データ選択手段と、
前記選択された画像データに関連付けられた画像処理制御情報を表示する画像処理制御情報表示手段と、
前記表示された画像処理制御情報を変更する画像処理制御情報変更手段とを備える画像データ生成装置。
【請求項５】
請求項４に記載の画像データ生成装置において、
前記画像処理制御情報は、撮影場面に応じた複数のパラメータ値の組み合わせである画像データ生成装置。
【請求項６】
請求項４に記載の画像データ生成装置はさらに、
複数の前記画像処理制御情報を記憶する画像処理制御情報を記憶する画像処理制御情報記憶手段を備え、
前記画像処理制御情報表示手段は、前記画像処理制御情報記憶手段から前記選択された画像データに関連付けられた画像処理制御情報を取得し、表示する画像データ生成装置。
【請求項７】
請求項４または請求項６に記載の画像データ生成装置はさらに、
前記画像データとその画像データに関連付けられた前記画像処理制御情報とを出力する画像データ出力手段を備える画像データ生成装置。
【請求項８】
請求項４ないし請求項７のいずれかに記載の画像データ生成装置において、
前記画像データ生成手段は、前記設定された撮影条件に応じて前記生成された画像データに対して撮影時画質調整を施す画像データ生成装置。
【請求項９】
画像データの生成装置であって、
撮影条件を設定する撮影条件設定手段と、
画像データを生成する画像データ生成手段と、
前記撮影条件に応じた画像処理時における前記画像データの処理条件を指定する画像処理制御情報と、前記画像データと、を関連付けて格納する画像データ記憶手段と、
前記画像データ記憶手段から所望の画像データを選択する画像データ選択手段と、
前記選択された画像データに関連付けられた画像処理制御情報を用いて前記選択された画像データに対して画像処理を実行する画像処理手段と、
前記画像処理が施された画像データの画像を表示する画像表示手段と、
前記表示されている画像データに関連付けられた画像処理制御情報を変更する画像処理制御情報変更手段と、
前記変更された画像処理制御情報を用いて前記表示されている画像の表示を更新する画像表示更新手段とを備える画像データ生成装置。
【請求項１０】
請求項９に記載の画像データ生成装置において、
前記画像処理制御情報は、撮影場面に応じた複数のパラメータ値の組み合わせである画像データ生成装置。
【請求項１１】
請求項９に記載の画像データ生成装置において、
前記画像表示更新手段は、
前記変更された画像処理制御情報を用いて前記表示されている画像データに対して更新画像処理を実行する更新画像処理手段と、
前記更新画像処理が施された画像データを用いて前記画像表示手段に表示されている画像を更新する表示画像更新手段とを備える画像データ生成装置。
【請求項１２】
請求項９または請求項１１に記載の画像データ生成装置はさらに、
複数の前記画像処理制御情報を記憶する画像処理制御情報を記憶する画像処理制御情報記憶手段を備え、
前記画像処理手段は、前記画像処理制御情報記憶手段から前記選択された画像データに関連付けられた画像処理制御情報を取得し、画像処理を実行する画像データ生成装置。
【請求項１３】
請求項１１または請求項１２に記載の画像データ生成装置はさらに、
前記更新画像処理が施された画像データを出力する更新画像データ出力手段を備える画像データ生成装置。
【請求項１４】
請求項１１ないし請求項１３のいずれかに記載の画像データ生成装置において、
前記画像データ生成手段は、前記設定された撮影条件に応じて前記生成された画像データに対して撮影時画質調整を施す画像データ生成装置。
【請求項１５】
画像データを生成する画像データ生成装置であって、
画像処理時における画像データの処理条件を指定する複数の画像処理制御情報を記憶する記憶手段と、
前記複数の画像処理制御情報の中から所望の画像処理制御情報を選択し、表示する画像処理制御情報表示手段と、
前記表示された画像処理制御情報を変更する画像処理制御情報変更手段と、
前記変更された画像処理制御情報を用いて前記選択された画像処理制御情報を更新する画像処理制御情報更新手段と、
画像データを生成する画像データ生成手段と、
前記撮影条件に応じて前記記憶手段から画像処理制御情報を取得する画像処理制御情報取得手段と、
前記取得された画像処理制御情報を前記生成された画像データに関連付けて出力する画像データ出力手段とを備える画像データ生成装置。
【請求項１６】
請求項１５に記載の画像データ生成装置において、
前記画像処理制御情報は、撮影場面に応じた複数のパラメータ値の組み合わせである画像データ生成装置。
【請求項１７】
画像データを生成する画像データ生成方法であって、
撮影条件を設定し、
前記設定した撮影条件の少なくとも一部を用いて画像処理を施しつつ画像データを生成し、
前記画像処理を施した画像データと前記撮影条件とを関連付けて記憶装置に格納し、
前記記憶装置から所望の画像データを選択し、
前記選択した画像データに関連付けられた撮影条件を表示し、
前記表示した撮影条件を変更する画像データ生成方法。
【請求項１８】
請求項１７に記載の画像データ生成方法はさらに、
前記変更した撮影条件と前記選択した画像データとを関連付けて出力する画像データ生成方法。
【請求項１９】
請求項１８に記載の画像データ生成方法はさらに、
出力した、前記変更した撮影条件と前記選択した画像データとを記憶媒体に格納する画像データ生成方法。
【請求項２０】
請求項１７ないし請求項１９のいずれかに記載の画像データ生成方法において、
前記撮影条件は、撮影場面である画像データ生成方法。
【請求項２１】
画像データを生成する画像データ生成方法であって、
撮影条件を設定し、
画像データを生成し、
前記撮影条件に応じた画像処理時における前記画像データの処理条件を指定する画像処理制御情報と、前記画像データと、を関連付けて記憶装置に格納し、
前記記憶装置から所望の画像データを選択し、
前記選択した画像データに関連付けられた画像処理制御情報を表示し、
前記表示した画像処理制御情報を変更する画像データ生成方法。
【請求項２２】
請求項２１に記載の画像データ生成方法はさらに、
前記画像データとその画像データに関連付けられた前記変更された画像処理制御情報とを出力する画像データ生成方法。
【請求項２３】
画像データの生成方法であって、
撮影条件を設定し、
画像データを生成し、
前記撮影条件に応じた画像処理時における前記画像データの処理条件を指定する画像処理制御情報と、前記画像データと、を関連付けて記憶装置に格納し、
前記記憶装置から所望の画像データを選択し、
前記選択し画像データに関連付けられた画像処理制御情報を用いて前記選択された画像データに対して画像処理を実行し、
前記画像処理を施した画像データの画像を表示し、
前記表示されている画像データに関連付けられた画像処理制御情報を変更し、
前記変更した画像処理制御情報を用いて前記表示されている画像の表示を更新する画像データ生成方法。
【請求項２４】
請求項２３に記載の画像データ生成方法において、
前記画像表示の更新は、
前記変更した画像処理制御情報を用いて前記表示されている画像データに対  して更新画像処理を実行し、
前記更新画像処理を施した画像データを用いて前記画像表示手段に表示さ  れている画像を更新することにより実行する画像データ生成方法。
【請求項２５】
請求項２４に記載の画像データ生成装置はさらに、
前記更新画像処理が施された画像データを出力する画像データ生成方法。
【請求項２６】
画像データを生成する方法であって、
記憶装置に格納されている、画像処理時における画像データの処理条件を指定する複数の画像処理制御情報の中から所望の画像処理制御情報を選択し、
前記選択した画像処理制御情報を表示し、
前記表示した画像処理制御情報を変更し、
前記変更した画像処理制御情報を用いて前記選択した画像処理制御情報を更新し、
画像データを生成し、
前記撮影条件に応じて前記記憶装置から画像処理制御情報を取得し、
前記取得した画像処理制御情報を前記生成した画像データに関連付けて出力する画像データ生成方法。